(57)【要約】【課題】コストの上昇を抑えつつ、太陽光発電パネルが太陽光を受けて生じる電力量を増大させるための技術を提供する。【解決手段】太陽光発電設備は、多数の太陽光発電ユニットＵを有する。前後に並ぶ太陽光発電ユニットＵの間には、白い布である反射体４００が配されている。反射体４００は、その前後の太陽光発電ユニットＵの架台１００にその前後の縁を固定され、側面視で懸垂曲線を描きつつ、地表Ｓから浮いた状態となっている。本来であれば地表Ｓに向かうはずだった太陽光は、反射体４００の上面で反射してその後の太陽光発電ユニットＵの太陽光発電パネル２００に向かう。【選択図】図３
2015226413.tif 000002
【特許請求の範囲】
【請求項１】
多数の太陽光発電パネルが配列している太陽光発電設備で用いられる太陽光発電用の反射装置であって、
傾斜方向の前列の太陽光発電パネルと、その後列の太陽光発電パネルとの間に、地表から浮かせた状態で配置されるものであり、少なくともその上側の面が太陽光を反射するようになっている反射体を含んでいる、
太陽光発電用の反射装置。
【請求項２】
前記反射体は、板状である、
請求項１記載の太陽光発電用の反射装置。
【請求項３】
前記反射体は、布状である、
請求項１記載の太陽光発電用の反射装置。
【請求項４】
前記反射体の一部に、その上側の面に積もった異物を、前記反射体を振動させることによりその間から地表に落とすことのできる開口が適宜の数設けられている、
請求項１記載の太陽光発電用の反射装置。
【請求項５】
前記反射体は、複数本の棒又は幅の狭い板を、隣接するものとの間に隙間を空けて並べて板状に構成されたものであり、前記開口は前記隙間である、
請求項４記載の太陽光発電用の反射装置。
【請求項６】
前記棒又は幅の狭い板は、前後方向又は横方向に配置されている、
請求項５記載の太陽光発電用の反射装置。
【請求項７】
前記反射体は、複数本の紐又は帯を、隣接するものとの間に隙間を空けて並べて布状に構成されたものであり、前記開口は前記隙間である、
請求項４記載の太陽光発電用の反射装置。
【請求項８】
前記紐又は帯は、前後方向又は横方向に配置されている、
請求項７記載の太陽光発電用の反射装置。
【請求項９】
前記反射体は、その前側を前記前列の太陽光発電パネルを支持している架台に、その後側を前記後列の太陽光発電パネルを支持している架台に、それぞれ固定されるようになっている、
請求項１記載の太陽光発電用の反射装置。
【請求項１０】
前記反射体の前側と後側の前記架台に対する固定はともに、着脱自在なものとすることができるようにされている、
請求項９記載の太陽光発電用の反射装置。
【請求項１１】
前記反射体は、側面視した場合に、その両端よりも低い部分がその間に存在するように湾曲するようになっている、
請求項３、７又は８記載の太陽光発電用の反射装置。
【請求項１２】
多数の太陽光発電パネルが配列している太陽光発電設備であって、
傾斜方向の前列の太陽光発電パネルと、その後列の太陽光発電パネルとの間の少なくとも一箇所に、地表から浮かせた状態で配置されるものであり、少なくともその上側の面が太陽光を反射するようになっている反射体を含んでいる、太陽光発電用の反射装置が取付けられている、
太陽光発電用設備。
【請求項１３】
多数の太陽光発電パネルが配列している太陽光発電設備に、
傾斜方向の前列の太陽光発電パネルと、その後列の太陽光発電パネルとの間に、地表から浮かせた状態で配置されるものであり、少なくともその上側の面が太陽光を反射するようになっている反射体を含んでいる、太陽光発電用の反射装置を取付ける、
太陽光発電設備の改良方法。
【請求項１４】
多数の太陽光発電パネルが配列している太陽光発電設備であり、
傾斜方向の前列の太陽光発電パネルと、その後列の太陽光発電パネルとの間の少なくとも一箇所に、地表から浮かせた状態で配置されるものであり、少なくともその上側の面が太陽光を反射するようになっている反射体を含んでいる、太陽光発電用の反射装置が取付けられているものを用いて、太陽光発電を行う、
太陽光発電方法。
【発明の詳細な説明】
【技術分野】
【０００１】
本発明は、太陽光発電の効率を増すために寄与する、太陽光発電パネルに太陽光を効率よく集光するための技術に関する。
【背景技術】
【０００２】
近年、再生可能エネルギーの重要性が増している。その中の一つとして太陽光発電がある。よく知られているように、太陽光発電は、太陽光発電パネルに当たった太陽光が持つ光エネルギーを太陽光発電パネルによって電力に変換させ、その電力を利用するものである。
【０００３】
太陽光発電が普及するか否かは、その経済合理性に大きく依存している。発電には太陽光発電の他に、火力発電、原子力発電、水力発電、風力発電など様々なものがあるが、太陽光発電がそれら他の方法による発電よりも経済的に優れているのであれば、もちろん他にも考慮すべき要素はあるものの、太陽光発電の普及は進むはずである。
また、太陽光発電の一形態として、規模の大小はあるものの、山野などに太陽光発電パネルを多数並べて行う比較的大規模な、いわゆるメガソーラと呼ばれるものがある。例外はあるものの、大規模な太陽光発電では、太陽光パネルの所有者は、太陽光発電パネルにより発生した電力を、電力事業者等の第三者へ販売する（いわゆる売電）ことにより金銭的な利益を得る。売電による金銭的な利益は、太陽光発電の普及に大きな役割を果たしているが、売電を目的とした太陽光発電が普及するか否かも、その経済合理性に大きく依存する。太陽光パネルの所有者等（太陽光発電事業者）が売電を行う場合には、発電量×単位電力量あたりの売電価格が、イニシャル及びランニングの双方を含むコストよりも大きければ大きいほど、太陽光発電事業者は、より積極的に太陽光発電に対する投資を行う。
上記３つの要素のうち、単位電力量あたりの売電価格は、国の政策や、電力事業者等の都合で変動するものであり、太陽光発電事業者からしてみれば制御の難しいものであるから、太陽光発電事業者が行うべき努力は、発電量をどれだけ増やせるかということと、コストをどれだけ抑えられるか、という２点に尽きる。
【０００４】
太陽光発電パネルが多数配列されるメガソーラにおいては、発電量を増やすべく様々な工夫が既に行われている。例えば、多数配列される太陽光発電パネルは、互いが、他の太陽光発電パネルの表面に日陰を作らないようにして配列される。しかしながら、他の太陽光発電パネルの表面に日陰を作らないように太陽光発電パネルを配列させると、太陽光発電パネル間の間隔は大きくなりがちである。これは、隣接する太陽光発電パネル間の地表に太陽光が落ちることが多くなりがちである、ということを意味する。もちろん、地表に落ちた太陽光は基本的に発電には寄与しない。
他方、例えば冬の高緯度地域では、積雪後の晴天時であって、太陽光発電パネルの表面に雪が積もっていない状態では、太陽光発電パネルによる発電量が増加することが知られている。これは地表に落ちた太陽光が積雪で反射して太陽光発電パネルに向かい、太陽光発電パネルで行われる発電に寄与しているからである。そして、かかる理屈を利用して太陽光発電パネルでの発電量を増加させることが、太陽光発電パネル間の地表に反射板を置き、本来であれば地表に落ちる太陽光を反射板によって太陽光発電パネルに向けて反射させるという技術として実用化されている。
そして、かかる反射板を利用する技術は、一定の成果を上げている。
【発明の概要】
【発明が解決しようとする課題】
【０００５】
しかしながら、かかる技術がその成果を上げる期間は比較的短い。太陽光発電パネルは屋外に配置されるから、反射板も屋外に配置される。したがって、地表に配置される反射板の表面には、土砂、落ち葉等の異物が直ぐに溜まってしまい、その太陽光を反射するという効果は比較的短期間で失われていく。
もちろんその効果は、ある程度の期間毎に反射板の表面を清掃することにより回復するが、そのコストは馬鹿にならない。
【０００６】
本願発明は、コストの上昇を抑えつつ、太陽光発電パネルが太陽光を受けて生じる電力量を増大させるための技術を提供することをその課題とする。
【課題を解決するための手段】
【０００７】
上述の課題を解決するため、本願出願人は以下の発明を提案する。
本願発明は、多数の太陽光発電パネルが配列している太陽光発電設備で用いられる太陽光発電用の反射装置であって、傾斜方向の前列の太陽光発電パネルと、その後列の太陽光発電パネルとの間に、地表から浮かせた状態で配置されるものであり、少なくともその上側の面が太陽光を反射するようになっている反射体を含んでいる、太陽光発電用の反射装置である。
この太陽光発電用の反射装置は、地表から浮かせた状態で配置される。したがって、太陽光を反射する反射体の上側の面に、土砂、落ち葉等の異物が積もる可能性が、反射体が地表にあるときよりも低い。
【０００８】
本願発明における反射体は、少なくともその上側の面が太陽光を反射するようになっていれば良い。ここでいう反射は、鏡面反射のみならず、散乱のようなものも含む。例えば、反射体の上側の面が鏡面ではなく、白色であったとしても、それが反射体であるを妨げない。
前記反射体は、板状であっても良い。また、前記反射体は、布状であっても良い。
【０００９】
前記反射体の一部に、その上側の面に積もった異物を、前記反射体を振動させることによりその間から地表に落とすことのできる開口が適宜の数設けられていても良い。
反射体が地表から浮いていても、反射体の上面には異物が載る可能性は皆無ではない。そのような場合、反射体の上面から異物を取り除くことが必要となるが、反射体に適宜開口が設けられていれば、反射体を振動させることによりその開口から異物を落とすのが容易になる。これにより、反射体から異物を取り除くメンテナンスのコストを小さくすることが可能となる。開口の大きさ、及び数はそこから異物を落とすのに効果的な範囲で適宜決定すれば良い。
反射体が板状である場合、前記反射体は、複数本の棒又は幅の狭い板を、隣接するものとの間に隙間を空けて並べて板状に構成されたものであっても良い。この場合、棒又は幅の狭い板の隙間が、前記開口となりうる。前記棒又は幅の狭い板は、前後方向又は横方向に配置されていても良い。
反射体が布状である場合、前記反射体は、複数本の紐又は帯を、隣接するものとの間に隙間を空けて並べて布状に構成されたものであっても良い。この場合、紐又は帯の隙間が、前記開口となりうる。前記紐又は帯は、前後方向又は横方向に配置されていても良い。
【００１０】
前記反射体は、その前側を前記前列の太陽光発電パネルを支持している架台に、その後側を前記後列の太陽光発電パネルを支持している架台に、それぞれ固定されるようになっていても構わない。
反射体は、架台を利用せずに他の部材、例えば、地表に立てた柱によりその適当な箇所を支持することにより、地表から浮かせた状態で配置することもできる。しかしながら、太陽光発電パネルは、適当な傾斜を与えた状態で設置するために、例えば金属製のパイプで組まれた架台の上に載置されるのが通例となっている。かかる架台に対して反射体を取付けるようにすることで、反射装置の設置にかかる費用の増加を抑えることができる。
前記反射体の前側と後側の前記架台に対する固定はともに、着脱自在なものとすることができるようにされていてもよい。例えば、架台の側に適当なフックなどの係止部とそれぞれ着脱自在に係止できる被係止部を設けておくことで、それを達成することができる。そうすることにより、例えば、太陽光発電パネルのメンテナンスや、台風の接近の際などの必要な場合に、反射体を架台から取除くことができるようになる。
【００１１】
前記反射体は、側面視した場合に、その両端よりも低い部分がその間に存在するように湾曲するようになっていてもよい。これは簡単に言うと、反射体を側面視したときにその形状が下に凸になっている、ということである。そうすることにより、反射体によるその後側の太陽光発電パネルへの太陽光の反射効率が上がる可能性がある。
反射体が布状である場合には、矩形とした反射体の前後方向の長さを、例えば、その反射体の前に位置する太陽光パネルの後側からその反射体の後に位置する太陽光パネルの前側までの長さよりも長くしておくことで、反射体に下に凸の形状を容易に作らせることができる。また、反射体が板状である場合であっても、例えば、反射体の幅方向の両端に前後方向に延びる線状体２本を配するとともに、それら線状体の間に、線状体に直交するようにして棒又は幅の狭い板を配してそれらの両端を線状体に固定することにより、その反射体は下方向に凸の形状を取れるようになる。
上述した下に凸の形状は、反射体の自重によりその形状が決定されるのが基本であるが、必要であれば、反射体の適当な箇所に錘を設けることにより、その形状を適宜変更することも可能である。
【００１２】
本願出願人は、また、本願の反射装置と同様の作用効果を生じる発明として、太陽光発電設備をも提案する。
その一例として、多数の太陽光発電パネルが配列している太陽光発電設備であって、傾斜方向の前列の太陽光発電パネルと、その後列の太陽光発電パネルとの間の少なくとも一箇所に、地表から浮かせた状態で配置されるものであり、少なくともその上側の面が太陽光を反射するようになっている反射体を含んでいる、太陽光発電用の反射装置が取付けられている、太陽光発電用設備を挙げることができる。
本願出願人は、また、本願の反射装置と同様の作用効果を生じる発明として、太陽光発電設備の改良方法をも提案する。
その一例として、多数の太陽光発電パネルが配列している太陽光発電設備に、傾斜方向の前列の太陽光発電パネルと、その後列の太陽光発電パネルとの間に、地表から浮かせた状態で配置されるものであり、少なくともその上側の面が太陽光を反射するようになっている反射体を含んでいる、太陽光発電用の反射装置を取付ける、太陽光発電設備の改良方法を挙げることができる。この改良方法は、新設する太陽光発電設備のみならず、既存の太陽光発電設備にも応用することができる。
本願出願人は、また、高効率の太陽光発電方法をも提案する。
その方法の一例は、多数の太陽光発電パネルが配列している太陽光発電設備であり、傾斜方向の前列の太陽光発電パネルと、その後列の太陽光発電パネルとの間の少なくとも一箇所に、地表から浮かせた状態で配置されるものであり、少なくともその上側の面が太陽光を反射するようになっている反射体を含んでいる、太陽光発電用の反射装置が取付けられているものを用いて、太陽光発電を行う、太陽光発電方法である。
【図面の簡単な説明】
【００１３】
【図１】本願の一実施形態における太陽光発電設備の改良方法によって改良される前の太陽光発電設備を概略的に示す側面図。
【図２】図１に示した太陽光発電設備に前係止部材と後係止部材とを取付けた状態を示す側面図。
【図３】図２に示した太陽光発電設備に反射体を取付けた状態を示す側面図。
【図４】図２に示した太陽光発電設備に反射体を取付けた状態を示す平面図。
【図５】変形例１で使用される反射体を示す平面図。
【図６】変形例２で使用される反射体を示す平面図。
【図７】変形例３で使用される反射体を示す平面図。
【図８】変形例５において反射体が取付けられた後の太陽光発電設備の構成を概略的に示す側面図。
【発明を実施するための形態】
【００１４】
以下、図面を参照しつつ、本発明の好ましい実施形態を説明する。
【００１５】
この実施形態で改良される、改良前の太陽光発電設備についてまず説明する。
太陽光発電設備は、事実上メガソーラである。太陽光発電設備は、既に稼働している、或いは太陽光発電を行っている既存のものであっても構わないし、これから太陽光発電を開始する稼働前のものであっても構わない。
太陽光発電設備は、極一般的なもので良い。
太陽光発電設備は、架台１００の上に、太陽光発電パネル２００を載置したもの（以下、これを太陽光発電ユニットＵと称する。）を備えている（図１）。
架台１００は太陽光発電パネル２００を載置するものであり、太陽光発電パネル２００の向きと、地表Ｓに対する角度を決定するものである。架台１００は、一般的なものがそうであるように、所定の風雨に耐えられる程度の強度を有しており、太陽光発電パネル２００を強固に支持する。
上述の機能を有するのであれば、架台１００の構造には特に制限はない。
この実施形態の架台１００はこれには限られないが、金属製のパイプでできている。これには限られないが、この実施形態の架台１００は前側の柱である前柱１１０と、後側の柱である後柱１２０とそれらを繋ぐ筋交い１３０とを備えている。実際は、前柱１１０は複数本（多くの場合、太陽光発電パネル２００の幅方向の両端付近に２本であり、この実施形態ではそうなっている。）あり、後柱１２０も同様である。また架台１００は、複数本の前柱１１０同士を繋ぐ図１の紙面に垂直な方向に延びる梁にあたるパイプや、複数本の後柱１２０同士を繋ぐ紙面に垂直な方向に延びる梁にあたるパイプを備えるのが普通であるが、これらの図示は省略する。
太陽光発電パネル２００は、既存の太陽光発電パネルであれば足りる。太陽光発電パネル２００は太陽光を受け、電力を発生する。
太陽光発電設備は、以上のような、太陽光発電ユニットＵを載置したものを、多数縦横に配列してなる（例えば、図４参照）。太陽光発電パネル２００は所定幅であるが、太陽光発電ユニットＵは、横方向で隣り合う太陽光発電パネル２００同士が僅かな隙間を持つように、或いは隙間なく並ぶように横向きに配列されるとともに、前後で隣り合う太陽光発電パネル２００同士が、それらの一つが作る日陰がなるべくその前後の太陽光発電パネル２００にかからないようにして前後に配列される。なお、図１における右側が、太陽光発電パネル２００の前側である。
なお、太陽光発電設備は、パワーコンディショナーや、変電設備などを必要に応じて備える場合もあるが、これらはいずれも周知のものであるからその説明を省略する。
【００１６】
以上のような太陽光発電設備を改良して、太陽光発電設備の発電能力を高めるには、以下のようにすれば良い。
まず、架台１００の前後に、半円形の溝をそれぞれ有する前係止部材３１０と、後係止部材３２０をそれぞれ固定する（図２）。前係止部材３１０と、後係止部材３２０はそれぞれ、後述する、前被係止部材と、後被係止部材とを着脱自在に固定するためのものである。前係止部材３１０と、後係止部材３２０は、適当な金物を用いるなど周知の方法で、架台１００に固定すれば良い。
前係止部材３１０は、架台１００の前側に、後係止部材３２０は、架台１００の後側に、それぞれ取付けられる。より詳細には、前係止部材３１０は、架台１００の２本の前柱１１０のそれぞれに、後係止部材３２０は、架台１００の２本の後柱１２０のそれぞれに、それぞれ取付けられる。これには限られないが、この実施形態においては、前係止部材３１０は、架台１００の前柱１１０の上端やや下（太陽光発電パネル２００の直下）に、後係止部材３２０は、架台１００の後柱１２０の上端やや下（太陽光発電パネル２００の直下）に、それぞれ取付けられる。
【００１７】
次いで、前後に隣り合う太陽光発電ユニットＵのうちの前側のものの架台１００に取付けられた後係止部材３２０と、後側のものの架台１００に取付けられた前係止部材３１０との間に反射体４００を取付ける（図３）。反射体４００は、太陽光Ｌを、その後側に位置する太陽光発電パネル２００に向けて反射させるものである。
この実施形態における反射体４００は、これには限られないが、布である。反射体４００は織布でも不織布でもよく、また編物でも良い。また、反射体４００は、単層であっても、多層であっても良い。例えば、反射体４００は、織布で有る基材の表面を防汚に優れたフッ素樹脂で覆われたものであっても良い。また、防汚性を更に増すために、その表面にセルフクリーニング機能を有する光触媒層を備えていても良い。
上述のように反射体４００は、その表面で太陽光を反射するものとされる。その機能を増すためには、反射体４００の表面に鏡面シートを貼り付けるなどすれば良い。もっともそこまでしなくとも、反射体４００の表面の色彩の明度が高ければ、もっと言えば、例えば反射体４００の表面が白色或いはそれに近い乳白色などであれば、反射体４００は太陽光をよく反射する。
反射体４００の形状は、これには限られないが、この実施形態では矩形である。反射体４００の幅は、太陽光発電パネル２００の幅と同じか、それよりも若干大きくされており、これには限られないが、この実施形態では、反射体４００の幅は、太陽光発電パネル２００の幅よりも若干大きくされている。また、反射体４００の前後方向の長さは、互いに臨む前係止部材３１０から後係止部材３２０までの距離よりも長くされている。
この実施形態における反射体４００は、その少なくとも表面が白色の布である。
【００１８】
図３、図４に示したように、反射体４００の両端には、前被係止部材４１０と、後被係止部材４２０としての棒状体が取付けられている。この実施形態の前被係止部材４１０と、後被係止部材４２０は、これには限られないが、断面円形の例えば金属製のパイプである。前被係止部材４１０と、後被係止部材４２０と反射体４００の固定は、周知の方法で適当に行えば良い。
前被係止部材４１０と、後被係止部材４２０の長さは、太陽光発電パネル２００の幅と同じかそれよりも若干長くされており、これには限られないが、この実施形態では、反射体４００の長さと同じにされている。
前被係止部材４１０は一の太陽光発電ユニットＵの２つの前係止部材３１０の溝にその両端を挿入して支持させることで、後被係止部材４２０はその前側の太陽光発電ユニットＵの２つの後係止部材３２０の溝にその両端を挿入して支持させることで、反射体４００は、一の太陽光発電ユニットＵの前側と、その前の太陽光発電ユニットＵの後側の間に張られた状態となる。前被係止部材４１０の長さは、それを支持する２つの前係止部材３１０間の距離よりも長く、また後被係止部材４２０の長さは、それを支持する２つの後係止部材３２０間の距離よりも長いので、前被係止部材４１０が前係止部材３１０から脱落することも、後被係止部材４２０が後係止部材３２０から脱落することもない。
また、上述したように、反射体４００の前後方向の長さは、互いに臨む前係止部材３１０から後係止部材３２０までの距離よりも長くされているから、前後に隣接する２つの太陽光発電ユニットＵの間に取付けられた反射体４００は、２つの太陽発電ユニットの間で、図３に示したように側面視した場合に、その中程にその両端よりも高さの低い部分が存在する、垂れ下がった状態となる。このとき、反射体４００は、地表Ｓから浮いた状態となる。反射体４００の長さは、反射体４００の前後方向の長さは、互いに臨む前係止部材３１０から後係止部材３２０までの距離よりも長いが、それが２つの太陽光発電ユニットＵの間に取付けられたときにその最も低い部分が地表Ｓから浮いた状態となる程度に短くされている。反射体４００を側面視した場合のかかる形状は、いわゆる懸垂曲線となるが、反射体４００の例えば下面に、適当な錘を適当な位置に適当な数だけ適当な方法で取付けることにより、その懸垂曲線を所望の形状とすることができる。錘の構成、錘の反射体４００への取付方法についてはいずれも周知技術で対応できるものであるからその詳述は省略するが、例えば、錘を前側の太陽光発電ユニットＵに近い側に取付ければ、反射体４００の最も低い位置は、前側の太陽光発電ユニットＵに近づくことになる。
【００１９】
以上により、太陽光発電設備の改良は終了する。
後は、太陽光発電設備による太陽光発電を、通常の太陽光発電設備で太陽光発電を行うのと同じように行えば良い。
改良後の太陽光発電設備では、太陽光発電が行われるとき、本来であれば地表Ｓに向かうはずであった太陽光のうちの少なくとも一部は、図３に示したＬの線から明らかなように、反射体４００の表面で反射して太陽光発電パネル２００に向かう。これにより、この太陽光発電設備では、反射体４００が存在しない場合に比ベて明らかに高効率で、太陽光発電が行われる。
また、反射体４００は地表から浮いているので、その上に異物が載る可能性は、反射体４００が地表に設置されている場合よりも確実に低い。
なお、２つの前後に隣接する太陽光発電ユニットＵへの反射体４００の取付けは、上述のように、前被係止部材４１０を、一の太陽光発電ユニットＵの２つの前係止部材３１０の溝にその両端を挿入することにより、また、後被係止部材４２０を、その前側の太陽光発電ユニットＵの２つの後係止部材３２０の溝にその両端を挿入することで、行っている。したがって、前被係止部材４１０の両端を、一の太陽光発電ユニットＵの２つの前係止部材３１０の溝から取出し、また、後被係止部材４２０の両端を、その前側の太陽光発電ユニットＵの２つの後係止部材３２０の溝から取出すことで、反射体４００は２つの太陽光発電ユニットＵから取外すことができる。つまり、太陽光発電ユニットＵへの反射体４００の固定はこの実施形態では着脱自在なものとなっている。それにより、この実施形態における反射体４００は、太陽光発電設備のメンテナンス時や、台風の接近時など必要なときに、太陽光発電ユニットＵから取外すことができる。もっとも、２つの太陽光発電ユニットＵへの反射体４００の固定は、着脱自在なものとする必要は必ずしもない。
【００２０】
＜変形例１＞
以下、以上説明した実施形態の変形例について説明する。
変形例１は、図５に示した反射体４０１を用いる点のみが、上述の実施形態の場合と異なる。
変形例１における反射体４０１は、上述の実施形態の場合と同様に、全体として布状である。変形例１における反射体４０１には、これには限られないが、矩形とされた開口４０１Ａが適宜の数（変形例１では５つ）穿たれている。かかる開口４０１Ａは、反射体４０１の使用中にその上側の面に積もった異物を、反射体４０１を振動（揺するような場合も含む。）させることによりその間から地表Ｓに落とすことのできるようなものとされる。つまり、開口４０１Ａの形状、大きさ、位置等は、それが可能なように決定される。
なお、変形例１における反射体４０１の幅は、前被係止部材４１０、後被係止部材４２０の長さよりも短い。こうすることにより、反射体４０１を２つの太陽光発電ユニットＵに取付けるために、前被係止部材４１０を一の太陽光発電ユニットＵの２つの前係止部材３１０の溝にその両端を挿入し、後被係止部材４２０をその前側の太陽光発電ユニットＵの２つの後係止部材３２０の溝にその両端を挿入した場合に、反射体４０１と、前係止部材３１０及び後係止部材３２０が干渉しなくなるから、反射体４０１の傷みを抑えられる。
【００２１】
＜変形例２＞
変形例２は、図６に示した反射体４０２を用いる点のみが、上述の実施形態の場合と異なる。
変形例２における反射体４０２は、上述の実施形態の場合と同様に、全体として布状である。変形例２における反射体４０２は、前被係止部材４１０と、後被係止部材４２０の間に細い帯状の帯体４０２Ａを複数本張り渡したものとなっている。帯体４０２Ａは例えば、実施形態の反射体４００を細く裁断することにより得ることができるものである。帯体４０２Ａの幅は適宜決定することができる。帯体４０２Ａの間隔は、反射体４０２の使用中にその上側の面に積もった異物を、反射体４０２を振動（揺するような場合も含む。）させることにより隣接する帯体４０２Ａの間の隙間から地表Ｓに落とすことのできるようなものとされる。
なお、変形例２における反射体４０２の幅も、変形例１の場合と同様の理由で、前被係止部材４１０、後被係止部材４２０の長さよりも短くなっている。
なお、変形例２の帯体４０２Ａは、紐に置き換えることが可能である。紐は、例えば、白ないしそれに近い色のロープである。紐は、隣接するもの同士の間隔を殆どとらなくても良い。
【００２２】
＜変形例３＞
変形例３は、図７に示した反射体４０３を用いる点のみが、上述の実施形態の場合と異なる。
変形例３における反射体４０３は、上述の実施形態の場合と同様に、全体として布状である。変形例３における反射体４０３は、前被係止部材４１０と、後被係止部材４２０の両端付近に、平行に張り渡された２本の線状体４０３Ａを有する。線状体４０３Ａは例えば、ロープ、ワイヤである。反射体４０３には、また、細い帯状の帯体４０３Ｂが複数本張り渡されている。帯体４０３Ｂは例えば、実施形態の反射体４００を細く裁断することにより得ることができるものである。帯体４０３Ｂの幅は適宜決定することができる。帯体４０３Ｂの間隔は、反射体４０３の使用中にその上側の面に積もった異物を、反射体４０３を振動（揺するような場合も含む。）させることにより隣接する帯体４０３Ｂの間の隙間から地表Ｓに落とすことのできるようなものとされる。
なお、変形例３における反射体４０３の幅も、変形例１の場合と同様の理由で、前被係止部材４１０、後被係止部材４２０の長さよりも短くなっている。
なお、変形例３の帯体４０３Ｂは、紐に置き換えることが可能である。紐は、例えば、白ないしそれに近い色のロープである。紐は、隣接するもの同士の間隔を殆どとらなくても良い。
【００２３】
＜変形例４＞
変形例４は、ほとんど変形例３と同じであるが、反射体の構成が変形例３と僅かに異なっている。
上述したように、変形例３の反射体４０３は全体として布状であった。
しかしながら、変形例４の反射体は全体として板状である。変形例４の反射体では、図７における帯体４０３Ｂが板でできている。板は、帯体４０３Ｂと同様の形状でよく、また、その隣接するもの同士の間に変形例３の帯体４０３Ｂの隣接するもの同士の間にあったのと同様の隙間を設けて、線状体の間に渡される。板の素材は特に問わないが、その軽量性を考慮すれば、木材か或いは樹脂でこれを構成することができる。また、板の少なくともその上面は鏡面でもよく、またそれが鏡面でないにせよ、その色彩は、実施形態の反射体４００の場合と同様に選択することができる。
変形例３の帯体４０３Ｂを板に置き換えた場合、２つの太陽光発電ユニットＵの間に張り渡された反射体は、板の前後方向の幅がその滑らかさを邪魔するものの、全体としては略下に凸のカーブを描く。
なお、変形例４の板である帯体は、棒に置き換えることが可能である。棒は、例えば、白ないしそれに近い色の木製或いは樹脂製の棒である。棒は、隣接するもの同士の間隔を殆どとらなくても良い。
【００２４】
＜変形例５＞
変形例５は、図８に示した反射体４０５を用いる点のみが、上述の実施形態の場合と異なる。
変形例５における反射体４０５は、板である。
板としての反射体４０５は、前後方向で隣接する２つの太陽光発電ユニットＵの間に張り渡される。
反射体４０５は矩形であり、その素材は変形例４の場合と同様である。その上側の表面が鏡面でもよく、またそれが鏡面でない場合の色彩が白ないしそれに近い色彩で良いことも変形例４に同様である。
反射体４０５は、一の架台１００の前側、例えば２本の前柱１１０の上端付近にその後端を、その前側の架台１００の後側、例えば２本の後柱１２０の上端付近にその前端を固定される。
このとき反射体４０５は、板状であるから下に凸のカーブを描かない。ただし、反射体４０５の上面で反射された太陽光は、その後側の太陽光発電ユニットＵの太陽光発電パネル２００に向かう。
反射体４０５の２つの太陽光発電ユニットＵへの固定は着脱自在なものとしてもそうでなくても良い。
また、板である反射体４０５に、その上に載った異物を反射体４０５を振動させることによって地表Ｓに落とすための開口を設けても良い。
【００２５】
なお、以上の実施形態及び各変形例においては、反射体は、その前後の太陽光発電ユニットＵの架台１００に取付けられることとされていた。それに関わらず、架台１００の近辺に建てた新たな柱等に例えばその４隅を固定するなどして、反射体を地表Ｓから浮かせた状態で、前後の太陽光発電ユニットＵの間に配置することも可能である。
【符号の説明】
【００２６】
１００  架台
１１０  前柱
１２０  後柱
１３０  筋交い
２００  太陽光発電パネル
３１０  前係止部材
３２０  後係止部材
４００  反射体
４０１  反射体
４０１Ａ  開口
４０２  反射体
４０２Ａ  帯体
４０３  反射体
４０３Ａ  線状体
４０３Ｂ  帯体
４０５  反射体
４１０  前被係止部材
４２０  後被係止部材
Ｓ  地表
Ｕ  太陽光発電ユニット
【図１】
2015226413.tif 000003
【図２】
2015226413.tif 000004
【図３】
2015226413.tif 000005
【図４】
2015226413.tif 000006
【図５】
2015226413.tif 000007
【図６】
2015226413.tif 000008
【図７】
2015226413.tif 000009
【図８】
2015226413.tif 000010